(57)【要約】【課題】材料が殆どワックス成分から成型され、簡単に遊び感覚で製造できるような装飾用ろうそく成型品の製造方法を提供することを課題とする。【解決手段】１種又は２種以上のワックス成分に着色して成型された各種形状の着色型ブロックと１種又は２種以上のワックス成分からなる無着色ブロックを準備し、第一工程では上記各種形状の着色型ブロックを紙製カップ内に絵柄、キャンペーン等の模様状に組み立てて装填し、第二工程では上記のように組み立てられた着色型ブロックが崩れないように上記無着色ブロックを紙製カップ内に詰め込み、第三工程では上記無着色ブロックを加熱溶融して紙製カップ内に流し込み、第四工程では上記溶融ワックスを冷却固化し、第五工程では紙製カップを破いてろうそく成型品６を取り出すようにした装飾用ろうそく成型品の製造方法。【選択図】図４
2006111673.tif 000002
【特許請求の範囲】
【請求項１】
１種又は２種以上のワックス成分に着色して成型された各種形状の着色型ブロックと１種又は２種以上のワックス成分からなる無着色ブロックを準備し、第一工程では上記各種形状の着色型ブロックを紙製カップ内に絵柄、キャンペーン等の模様状に組み立てて装填し、第二工程では上記のように組み立てられた着色型ブロックが崩れないように上記無着色ブロックを紙製カップ内に詰め込み、第三工程では上記無着色ブロックを加熱溶融して紙製カップ内に流し込み、第四工程では上記溶融ワックスを冷却固化し、第五工程では紙製カップを破いてろうそく成型品を取り出すようにしたことを特徴とする装飾用ろうそく成型品の製造方法。
【請求項２】
第一工程では上記各種形状の着色型ブロックを紙製カップの内壁面に密着させて模様状に組み立てて装填するようにした請求項１記載の製造方法。
【請求項３】
ステアリン酸等の離型剤を含ませた着色型ブロックを使用する請求項１記載の製造方法。
【請求項４】
紙製カップを破いて取り出したろうそく成型品を加熱したホーローパットの上で回転させながらろうそく成型品の余分なろうそく成分を溶かして形を整えるようにした請求項１記載の製造方法。
【発明の詳細な説明】
【技術分野】
【０００１】
この発明は、内部に各種の着色型ブロックからなる文字、絵柄等のメッセージ等を組み込んだ装飾用ろうそく成型品の製造方法に関するものである。
【背景技術】
【０００２】
従来装飾用ろうそくとしては、ワックス又は不燃性材料で形成されたカップ状の容器部材の内側面に文字、絵柄等の表示部を設け、上記表示部を覆う状態で半透明な第１ワックス層、更に第半透明な２ワックス層を設けるようにしたろうそくが提案されている（特開2004-27089）。
【０００３】
また、上面を有する蝋材料から加工されたろうそくを容器内に挿入し、次に蝋材料の上面の少なくとも一部が溶解するまで前記ろうそくに熱源が加えられ、その後鉱油ゲルから形成されたゼラチン状構成部材を溶解した蝋の中に挿入して上面に配置し、ろうそくを冷却させて溶解した蝋を凝固させるとともに、ゼラチン状構成部材を固定する装飾用ろうそくの製造方法が提案されている（特表2002-536495）。
【特許文献１】特開2004-27089  特表2002-536495
【発明の開示】
【発明が解決しようとする課題】
【０００４】
しかし、前者の方法ではワックス又は不燃性材料で形成されたカップ状の容器の内側面に表示部を設けた後、表示部を覆う状態で半透明な第１ワックス層、更に第２ワックス層を設けるなど煩雑な工程を必要としており、手軽に装飾用ろうそく成型品を製造することができないという難点がある。
【０００５】
また、後者の方法についても、蝋材料の他に、鉱油ゲルから形成されたゼラチン状構成部材を必要とするなど手軽に装飾用ろうそく成型品を製造できるとは言い難い。
【０００６】
そこで、この発明は材料が殆どワックス成分から成型され、簡単に遊び感覚で製造できるような装飾用ろうそく成型品の製造方法を提供することを目的とする。
【課題を解決するための手段】
【０００７】
この発明は、１種又は２種以上のワックス成分に着色して成型された各種形状の着色型ブロックと１種又は２種以上のワックス成分からなる無着色ブロックを準備し、第一工程では上記各種形状の着色型ブロックを紙製カップ内に絵柄、キャンペーン等の模様状に組み立てて装填し、第二工程では上記のように組み立てられた着色型ブロックが崩れないように上記無着色ブロックを紙製カップ内に詰め込み、第三工程では上記無着色ブロックを加熱溶融して紙製カップ内に流し込み、第四工程では上記溶融ワックスを冷却固化し、第五工程では紙製カップを破いてろうそく成型品を取り出すようにしたことを特徴とする装飾用ろうそく成型品の製造方法を提案するものである。
【発明の効果】
【０００８】
即ち、この発明においては紙製コップ内に各種形状の着色型ブロックを組み立て装填された絵柄、キャンペーン等の模様形状の周りに無着色ブロックを詰め込み、無着色ブロックを加熱溶融して流し込み、更に溶融ワックスを冷却固化し、紙製カップを破ってろうそく成型品を取り出すものであり、この発明では着色型ブロック、無着色ブロックともに、殆ど同種なワックス成分で構成され、簡単に遊び感覚で装飾用ろうそくの成型品を製造することができる。
【０００９】
この発明において使用される着色型ブロックは、例えば80℃に溶解したパラフィンワックスに、マイクロワックス５重量％、離型剤としてステアリン酸５重量％を加え、染料で色付けし、22cm×30cm×15cm程度の盆に450g程度流し込み、硬化直前に各種の型押して製造される。
【００１０】
また、第一工程において上記各種形状の着色型ブロックにより紙製カップ内に組み立てられる模様形状としては絵柄、キャンペーン等を挙げることができる。
【００１１】
この場合、各種形状の着色型ブロックを紙製カップの内壁面に密着させて模様状に組み立てることにより、模様を綺麗に浮き出させることができ、このため紙製カップの内壁面との剥離性を高めるために、着色型ブロックとしては上記のようにステアリン酸等の離型剤を含ませたものを使用することが好ましい。
【００１２】
なお、この発明により製造されるろうそく成型品の形状は紙製カップを起立させて成型される拡径状成型品と紙製カップを倒立させて成型される縮径状成型品の二種類であるが、拡径状成型品については例えばその側面に模様が浮き出るように各種形状の着色型ブロックを紙製カップの内側面に密着させて模様状に組み立て、縮径状成型品については例えばその上面に模様が浮き出るように各種形状の着色型ブロックを紙製カップの底面に密着させて模様状に組み立てるようにすることが好ましい。
【００１３】
一方、この発明で使用される無着色ブロックは、例えば80℃に溶解したパラフィンワックスに、マイクロワックス５重量％を加え、22cm×30cm×15cm程度の盆に450g程度流し込み、硬化後カッターで切り刻で製造される。
【００１４】
第二工程では上記のように組み立てられた着色型ブロックが崩れないように無着色ブロックを紙製カップ内に詰め込む。
【００１５】
第三工程では無着色ブロックを65℃〜75℃程度に加熱溶融して紙製カップ内に流し込む。
【００１６】
溶融ワックスを流し込んだ後、成型品内に気泡ができないように冷却固化されない前に紙製カップを叩いて気泡を外部に放出させる。
【００１７】
また、溶融ワックスが柔らかい内に拡径状成型品であれば、上面に各種形状の着色型ブロックを差し込んで飾り付けてもよく、拡径状成型品であれば、上面にマーク等を挿入してもよい。
【００１８】
第四工程では上記溶融ワックスを冷却固化させるが、この場合の待ち時間は１５分程度であり、第五工程では紙製カップを破いてろうそく成型品を取り出す。
【００１９】
取り出されたろうそく成型品は仕上げ作業として余分なろうそく成分をカッターなどで削り取り、例えば古ストッキング等で表面を磨いて製品とする。
【００２０】
この仕上げ作業の際に、180℃以上に加熱されたホーローパット上にろうそく成型品を載せ、回転させることで、ろうそく成型品から余分なろうそく成分が溶出され、より良い完成度が増す。
【発明を実施するための最良の形態】
【００２１】
１種又は２種以上のワックス成分にステアリン酸等の離型剤を配合し着色して成型された各種形状の着色型ブロックと１種又は２種以上のワックス成分からなる無着色ブロックを準備し、第一工程では上記各種形状の着色型ブロックを紙製カップ内壁面に密着させて絵柄、キャンペーン等の模様状に組み立てて装填し、第二工程では上記のように組み立てられた着色型ブロックが崩れないように上記無着色ブロックを紙製カップ内に詰め込み、第三工程では上記無着色ブロックを加熱溶融して紙製カップ内に流し込み、第四工程では上記溶融ワックスを冷却固化し、第五工程では紙製カップを破いてろうそく成型品を取り出すようにし、仕上げ工程では180℃以上に加熱されたホーローパット上にろうそく成型品を載せ、回転させることで、ろうそく成型品から余分なろうそく成分を溶出させ、形を整えるようにした装飾用ろうそく成型品の製造方法。
【実施例１】
【００２２】
以下、この発明を図示の実施例に基づいて詳細に説明すると、１，…はこの発明において使用される着色型ブロックであって、各種形状の着色型ブロック１，…例えば80℃に溶解したパラフィンワックスに、マイクロワックス５重量％、離型剤としてステアリン酸５重量％を加え、染料で色付けし、22cm×30cm×15cm程度の盆に450g程度流し込み、硬化直前に各種の型押して製造される。
【００２３】
２は底部に芯材３を立設した紙製カップであり、各種形状の着色型ブロック１，…はピンセット４で紙製カップ２の内壁面に密着させて絵柄模様を組み立てる（図１参照）。
【００２４】
５，…はこの発明において使用される無着色ブロックであって、無着色ブロック５，…は例えば80℃に溶解したパラフィンワックスに、マイクロワックス５重量％を加え、22cm×30cm×15cm程度の盆に450g程度流し込み、硬化後カッターで切り刻で製造される。
【００２５】
第二工程では上記のように組み立てられた着色型ブロック１，…が崩れないように上記無着色ブロック５，…を紙製カップ２内に詰め込む（図２参照）。
【００２６】
第三工程では無着色ブロック５，…を65℃〜75℃程度に加熱溶融して紙製カップ２内に流し込む（図３参照）。
【００２７】
第四工程では１５分程度待って溶融ワックスを冷却固化させ、第五工程では紙製カップを破いてろうそく成型品６を取り出す。
【００２８】
取り出されたろうそく成型品は仕上げ作業として余分なろうそく成分をカッターなどで削り取り、例えば古ストッキング等で表面を磨いて製品とする（図４参照）。
【産業上の利用可能性】
【００２９】
以上要するに、この発明によれば着色型ブロック、無着色ブロックともに、殆ど同種なワックス成分で構成され、簡単に遊び感覚で装飾用ろうそくの成型品を製造することができる。
【図面の簡単な説明】
【００３０】
【図１】この発明において第一工程の実施態様を示す斜視図
【図２】この発明において第二工程の実施態様を示す縦断側面図
【図３】この発明において第三工程の実施態様を示す斜視図
【図４】同上の実施例において得られた製品の斜視図
【符号の説明】
【００３１】
１，…は着色型ブロック
２は紙製カップ
３は芯材
４はピンセット
５，…は無着色ブロック
６はこの実施例により得られたろうそく成型品
【図１】
2006111673.tif 000003
【図２】
2006111673.tif 000004
【図３】
2006111673.tif 000005
【図４】
2006111673.tif 000006